(57)【要約】【課題】開口部による訴え性の向上を図る。【解決手段】遊技盤６の前面に取り付けられたセンター部品８は前後方向に貫通する方形な開口部１１を菱形の格好に配置し、開口部１１の後部に透過性パネル１４が開口部１１を閉鎖する形態で結合され、透過性パネル１４の裏側に方形な画像表示器９が配置され、その配置は前側から見て水平な横片と垂直な縦片とで構成される方形な形態であって、センター部品８の菱形な開口部１１とほぼ４５度回転された格好である。そして、画像表示器９に表示された「７」なる図柄が坂道を「ゴロゴロ」と転がる如く開口部１１の下縁に沿って回転しながら上方から下方に移動する。【選択図】        図１
2004201841.tif 000002
【特許請求の範囲】
【請求項１】
遊技盤の遊技領域にセンター部品を配置し、センター部品に形成された前後方向に貫通する開口部の背面を透過性パネルで閉鎖し、透過性パネルの裏側に画像表示器の表示画面が透過性パネルを通して遊技盤の前側から視認可能に配置された遊技機の図柄表示装置において、上記開口部が遊技盤の前側から見て菱形に形成される一方、上記表示画面が菱形な開口部の全域で表示される形態に画像表示器がセンター部品に対応して配置されたことを特徴とする遊技機の図柄表示装置。
【請求項２】
画像表示器は遊技の状況による演出を表示する場合に表示画面に表示された画像が菱形な開口部の縁を画像と関係の有る形状として取り込む形態に形成されたことを特徴とする請求項１記載の遊技機の図柄表示装置。
【発明の詳細な説明】
【０００１】
【発明の属する技術分野】
本発明は遊技機の遊技に関する画像を表示する図柄表示装置に関する。
【０００２】
【従来の技術】
従来のパチンコ機の図柄表示装置は遊技盤の遊技領域にセンター部品を設け、センター部品の内部に画像表示器を設けている（例えば、特許文献１参照）。
【０００３】
【特許文献１】
特開２００２−１３６７２７号公報（第３頁、段落番号００１０、図１）
【０００４】
【発明が解決しようとする課題】
しかしながら、前記従来例は方形な画像表示器の表示画面をセンター部品に形成された方形な開口部から遊技者に見せるために、画像表示器を組込んだセンター部品が方形な開口部をパチンコ機の正面から見て菱形な格好となるように配置されている。このため、センター部品の開口部は方形な画像表示器の表示画面とほぼ同形な形状に限定されるため、当該開口部の自由な形態による訴え性に欠けるという問題点があった。
【０００５】
そこで、本発明は画像表示器をセンター部品の外部に配置することによって、ケースの開口部を画像表示器の形状に左右されることのない自由な形態にすることができ、開口部による訴え性を向上することができる遊技機の図柄表示装置を提供するものである。
【０００６】
【課題を解決するための手段】
本発明にあっては、遊技盤の遊技領域にセンター部品を配置し、センター部品に形成された前後方向に貫通する開口部の背面を透過性パネルで閉鎖し、透過性パネルの裏側に画像表示器の表示画面が透過性パネルを通して遊技盤の前側から視認可能に配置された遊技機の図柄表示装置において、上記開口部が遊技盤の前側から見て菱形に形成される一方、上記表示画面が菱形な開口部の全域で表示される形態に画像表示器がセンター部品に対応して配置されたことによって、ケースの開口部を画像表示器の形状に左右されることのない形態にすることができ、開口部による訴え性を向上することができる。本発明にあっては、画像表示器は遊技の状況による演出を表示する場合に表示画面に表示された画像が菱形な開口部の縁を画像と関係の有る形状として取り込む形態に形成されれば、画像と開口部の形状とによる双方で遊技者に演出を行うことができる。
【０００７】
【発明の実施の形態】
図１から図３は一実施形態であって、図１は遊技機の図柄表示装置を模式的に示し、図２は図柄表示装置を縦方向に切断した断面を示し、図３は図柄表示装置の画像表示形態を模式的に示す。
【０００８】
図１を参照し、遊技機としてパチンコ機１を例示してパチンコ機１の図柄表示装置について説明する。パチンコ機１は前面に設けられた受皿２に球が入れられ、パチンコ機１の裏側に設けられた制御装置３が電力供給で起動した状態において、遊技者がパチンコ機１の前面に設けられた球発射操作機構４を操作すると、制御装置３が球発射操作機構４の操作量に応じた発射力を出力するようにパチンコ機１の内部に設けられた発射機構５を制御し、発射機構５が受皿２から供給された球を１個ずつパチンコ機１の内部に格納された遊技盤６の遊技領域に向けて発射する。この発射された球が遊技領域に配置された始動入賞部品７に入賞すると、制御装置３が遊技領域に設けられたセンター部品８の裏側に配置された画像表示器９を制御した遊技を開始する。センター部品８と画像表示器９とが図柄表示装置を構成する。
【０００９】
図２も参照し、センター部品８について説明する。センター部品８は前後方向に貫通する方形な開口部１１を囲む周壁１２の前縁から外側へ突出するフランジ１３を備える。開口部１１は前面から見て相対峙する２つの隅部が上下に配置され、それとは別の相対峙する２つの隅部が左右に配置された格好となる菱形になっている。開口部１１の後部には透過性パネル１４が開口部１１を閉鎖する形態で結合される。この透過性パネル１４の裏側には方形な画像表示器９が配置される。その配置は前側から見て水平な横片と垂直な縦片とで構成される方形な形態であって、センター部品８の菱形な開口部１１とほぼ４５度回転された格好である。
【００１０】
センター部品８の周壁１２および透過性パネル１４が遊技盤６に形成された逃孔１０に遊技盤６の前側から挿入され、フランジ１３が遊技盤６における逃孔１０の周りの前面に接触し、図外の止ねじがフランジ１３に形成された貫通孔から遊技盤６に締結されることで、センター部品８が遊技盤６に取り付けられる。画像表示器９の表示画面が透過性パネル１４の裏面に接触するかまたは接触する程度に近づけられた形態で、画像表示器９はセンター部品８の外側または遊技盤６の裏面または遊技盤６を格納する遊技機枠１５に取り付けられる。
【００１１】
本実施形態における球が始動入賞部品７に入賞した以降の動作について図１を参照して説明する。球検出器１７が始動入賞部品７に入賞した球を検出して入賞信号を制御装置３に出力すると、制御装置３が入賞信号の入力により抽選処理と図柄変動処理とを実行する。抽選処理は始動入賞入賞信号の入力タイミングでカウンタのカウンタ値を乱数値として取得し、取得した乱数に対応する通常変動、特殊変動を含む当たり・外れを決定する。通常変動や特殊変動は図柄変動の開始から停止までの間における遊技の状況の移り変わりを演出する画像表示形態である。これと並行し、図柄変動処理では抽選処理の結果に応じて画像表示器９を制御する。この制御によって画像表示器９が図柄変動を開始する。
【００１２】
例えば、抽選結果として通常変動が選択された場合、図３に示すように、「６」、「５」、「７」なる複数の図柄が画像表示器９における表示画面の外から中に入る格好で表示された後に、矢印Ｘで示すように表示されたそれぞれの図柄が徐々に縮小しつつ前側から奥側に行くように移動する。そして、「６」、「５」、「７」なる複数の図柄を追いかけるように「７」、「６」、「８」なる複数の図柄が画像表示器９における表示画面の外から中に入る格好で表示される。一方、抽選結果として特殊変動が選択された場合、図４に矢印Ｙ１で示すように、「７」なる図柄が坂道を「ゴロゴロ」と転がる如く開口部１１の下縁に沿って回転しながら点線で示す右上方位置から実線で示す左下方位置に移動する一方、矢印Ｙ２で示すように、「８」なる図柄が「７」なる図柄を追いかける如く画像表示器９における表示画面の外から中に入る格好で表示される。抽選結果として上記とは別の特殊変動が選択された場合、図５に矢印Ｚで示すように、「７」なる図柄が泡が水槽の壁面に沿って上昇するように開口部１１の上縁に沿って徐々に縮小しつつ仮想線で示す右下方位置から点線で示す中間位置に移動した後に実線で示す左上方位置に移動する。
【００１３】
本実施形態では、画像表示器９がセンター部品８の裏側に配置されたので、センター部品８の開口部１１を画像表示器９の形状に左右されることのない形態に形成することができる。画像表示器９の表示された画像がセンター部品８における開口部１１の形状に沿った動きを演出し、画像と開口部１１の形状とによる訴え性を向上することができる。また、センター部品８のフランジ１３は開口部１１よりもひとまわり大きな方形の四隅を除いた形態であり、遊技盤６におけるセンター部品８周りの空間には図外の障害釘や遊技釘と呼ばれる釘や役物を配置することができる。
【図面の簡単な説明】
【図１】一実施形態の遊技機の図柄表示装置を示す模式図。
【図２】同実施形態の図柄表示装置を示す断面図。
【図３】同実施形態の画像表示形態の１つを示す模式図。
【図４】同実施形態の画像表示形態のもう１つを示す模式図。
【図５】同実施形態の画像表示形態のさらに１つを示す模式図。
【符号の説明】
１  パチンコ機（遊技機）
６  遊技盤
８  センター部品
９  画像表示器
１１  開口部
１４  透過性パネル
【図１】
2004201841.tif 000003
【図２】
2004201841.tif 000004
【図３】
2004201841.tif 000005
【図４】
2004201841.tif 000006
【図５】
2004201841.tif 000007